(57)【要約】  本発明は、織物情報を標識するためのデータ記憶方法を開示する。前記方法では、織物情報を情報カテゴリに基づきＮ種類のデータ情報に分類し、前記Ｎ種類のデータ情報をコード形式でデータ担持体にそれぞれ記憶する。同一種類のデータ情報における異なるコードは、定義の異なる具体的織物情報を表す。本発明では、織物情報を情報カテゴリに基づき分類するとともに、具体的に定義された情報を各種データ情報がコード形式で表すことで、織物情報が占有する記憶空間を節約する。また、本発明は、前記データ記憶方法によりデータを記憶するデータ担持体について更に開示する。前記データ担持体は、小さな空間に大量の織物情報を記憶可能である。前記データ担持体は、対応する識別器で識別することでデータ担持体内に記憶されているコードを取得可能であり、前記コードから、前記識別器は更に具体的な織物情報を取得可能である。【選択図】図１
2020522070.tif 000002
【特許請求の範囲】
【請求項１】
織物情報を標識するためのデータ記憶方法であって、
前記織物情報を情報カテゴリに基づきＮ種類のデータ情報に分類し、前記Ｎ種類のデータ情報をコード形式でデータ担持体にそれぞれ記憶し、同一種類のデータ情報における異なるコードは、定義の異なる具体的織物情報を表すことを特徴とする織物情報を標識するためのデータ記憶方法。
【請求項２】
Ｎ種類のデータ情報における各種データ情報ごとの種別数に基づき、各種データ情報に適切なビット数を割り当てて相応の情報を記憶することを特徴とする請求項１に記載の織物情報を標識するためのデータ記憶方法。
【請求項３】
前記Ｎ種類のデータ情報は、織物の材質情報、織物の色情報、織物の種別情報を含み、織物の種別情報が占有するビット数＞織物の色情報が占有するビット数＞織物の材質情報が占有するビット数とすることを特徴とする請求項２に記載の織物情報を標識するためのデータ記憶方法。
【請求項４】
前記織物の材質情報は４ビットを占有し、前記織物の色情報は５ビットを占有し、前記織物の種別情報は６ビットを占有することを特徴とする請求項１〜３のいずれかに記載の織物情報を標識するためのデータ記憶方法。
【請求項５】
請求項１〜４のいずれかに記載のデータ記憶方法によりデータを記憶するデータ担持体であって、
織物自体の特性情報を記憶するための第１記憶領域を含み、
前記第１記憶領域は、織物の材質情報を記憶するための織物材質情報記憶モジュールを少なくとも含むことを特徴とするデータ担持体。
【請求項６】
前記第１記憶領域は、更に、織物色情報記憶モジュール及び織物種別情報記憶モジュールを含み、
前記織物色情報記憶モジュールは、対応する織物の色情報を記憶するために用いられ、前記織物種別情報記憶モジュールは、対応する織物の種別情報を記憶するために用いられ、
好ましくは、前記第１記憶領域は、メーカー情報記憶モジュール及び織物規格情報記憶モジュールを更に含み、前記メーカー情報記憶モジュールは織物のメーカー情報を記憶するために用いられ、前記織物規格情報記憶モジュールは織物の規格情報を記憶するために用いられることを特徴とする請求項５に記載のデータ担持体。
【請求項７】
前記織物の材質情報、織物の色情報、織物の種別情報、織物の規格情報、織物のメーカー情報はいずれもコードであり、異なるコードは定義の異なる具体的情報を表すことを特徴とする請求項５又は６に記載のデータ担持体。
【請求項８】
前記第１記憶領域の容量はＭバイトであり、メーカー情報記憶モジュールの記憶容量＞織物種別情報記憶モジュールの記憶容量＞織物色情報記憶モジュールの記憶容量≧織物規格情報記憶モジュールの記憶容量＞織物材質情報記憶モジュールの記憶容量とすることを特徴とする請求項５〜７のいずれかに記載のデータ担持体。
【請求項９】
前記Ｍは４であり、前記織物のメーカー情報が１２ビットを占有し、織物の規格情報が５ビットを占有し、織物の種別情報が６ビットを占有し、前記織物の色情報が５ビットを占有し、前記織物の材質情報が４ビットを占有することを特徴とする請求項８に記載のデータ担持体。
【請求項１０】
更に、第２記憶領域を含み、前記第２記憶領域は、織物メーカーがメーカーの内部情報を記憶するために用いられることを特徴とする請求項５〜９のいずれかに記載のデータ担持体。
【発明の詳細な説明】
【技術分野】
【０００１】
本発明は、家電製品又は織物の分野に関し、具体的には、織物情報を標識するためのデータ記憶方法及びデータ担持体に関する。
【背景技術】
【０００２】
従来技術では、洗濯機が織物の材質情報を識別することで相応のプログラムをマッチングすることが開示されている。
【０００３】
例えば、特許文献１は、織物の材質情報を自動識別して洗浄プログラムを選択する洗濯機及び方法を開示している。前記洗濯機及び方法は、制御システム、洗浄槽、ハウジング、給排水構造及び駆動装置を含む。また、制御システムは、コンピュータプログラムコントローラを含む。更に、前記制御システムは、コンピュータプログラムコントローラにそれぞれ接続される画像処理装置、情報入力装置及び情報表示装置を含む。前記画像処理装置は、画像収集ユニット、画像記憶ユニット、及び、織物の画像に基づいて織物を判断可能な画像識別ユニットを含む。制御システムは、画像収集ユニットが収集した画像と情報入力装置により入力された織物情報に基づいて織物のＩＤ番号を構築し、画像記憶ユニットに記憶する。しかし、前記発明ではユーザが織物の情報を確認する必要があるのに対し、実際の応用ではユーザが織物の情報をはっきりと知らず、正確に確認できない可能性が高い。また、識別システムの識別精度が十分でなく、膨大なデータセットを構築して各織物の情報を識別せねばならないため、コストが嵩み、実現方法が複雑である。
【０００４】
一方で、従来技術には、織物に電子タグを設置し、電子タグ内に織物の情報を記憶するものもある。しかし、前記織物の情報はコード形式で記憶されないことから、少量の織物情報を記憶するために多くの記憶空間を必要とする。
【０００５】
且つ、従来技術では、織物のタグに記憶されるのは前記織物の洗浄パラメータ情報であるため、前記電子タグは織物の洗浄情報を標識することしかできない。よって、電子タグの使用範囲が狭まり、電子タグにいっそう多くの役割を発揮させるには不都合である。
【０００６】
上記に鑑みて、本発明を提案する。
【先行技術文献】
【特許文献】
【０００７】
【特許文献１】中国特許出願第２０１１１０４０１１８２．Ｘ号明細書
【発明の概要】
【発明が解決しようとする課題】
【０００８】
本発明は、従来技術の瑕疵を解消し、織物情報を情報カテゴリに基づき分類するとともに、具体的に定義された情報を各種データ情報がコード形式で表すことで、織物情報による記憶空間の占有を節約する織物情報を標識するためのデータ記憶方法を提供することを解決しようとする技術的課題とする。また、本発明は、前記データ記憶方法によりデータを記憶するデータ担持体について更に開示する。前記データ担持体は、小さな空間に大量の織物情報を記憶可能である。前記データ担持体は、対応する識別器で識別することでデータ担持体内に記憶されているコードを取得可能であり、前記コードから、前記識別器は更に具体的な織物情報を取得可能である。
【課題を解決するための手段】
【０００９】
上記の技術的課題を解決すべく、本発明で採用する技術方案の基本思想について以下に述べる。
【００１０】
織物情報を標識するためのデータ記憶方法であって、前記方法では、織物情報を情報カテゴリに基づきＮ種類のデータ情報に分類し、前記Ｎ種類のデータ情報をコード形式でデータ担持体にそれぞれ記憶する。同一種類のデータ情報における異なるコードは、定義の異なる具体的織物情報を表している。
【００１１】
上記の方案において、織物情報をＮ種類に分類し、それぞれをコード形式でデータ担持体に記憶することは、織物情報の記憶方式をルール化するのに都合がよいため、任意の織物を記憶及び定義可能となる。前記方法は簡単且つ実用的であり、普及に値する。一方、各データ情報をコード形式で記憶すれば、織物情報の記憶容量が節約される。よって、従来の記憶方式と比較して、本方案によれば小さな記憶空間に多くの織物情報が記憶される。
【００１２】
好ましくは、Ｎ種類のデータ情報における各種データ情報ごとの種別数に基づき、各種データ情報に適切なビット数を割り当てて相応の情報を記憶する。
【００１３】
上記の方案では、Ｎ種類のデータ情報における各種データ情報ごとの種別数に基づき、各種データ情報に適切なビット数を割り当てて相応の情報を記憶する。前記設計は合理的であり、記憶空間の更なる節約となる。例えば、衣服は材質情報とメーカー情報を含む。現在のところ、衣服の材質に関する種別データ数はメーカーに遠く及ばないため、記憶空間を割り当てる際に、メーカー情報に割り当てる記憶空間を材質情報の記憶空間よりも大きくすることがいっそう合理的である。なお、言うまでもなく、各種データ情報に割り当てる記憶空間を現時点の前記データ情報自身の総種別数よりも大きくし、余剰空間を保持してもよい。これにより、将来的な前記分野の情報増加に備えることもできる。例えば、現時点で材質となり得る種別数がＭ個の場合、材質データに割り当てる記憶空間に記憶可能なコードにはＭ種類よりも多くの異なる変化が生じ得る。そのため、前記記憶空間は、現時点における全ての織物の材質情報を完全に提示可能なだけでなく、将来的により多くの新たな織物材質を有する可能性がある。よって、前記記憶空間には余裕を持たせておけばよい。
【００１４】
一方で、本方案は、割り当てる各種データ情報の記憶空間を現時点における前記各種データ情報ごとの種別数よりも大きくせねばならないとは限らず、各種データを何らかのルールに基づいて更に複数の小分類に分類してもよい。この場合、各種データ情報に割り当てられる記憶空間の記憶量は、それぞれの複数の小分類を区分できさえすればよい。例えば、織物の材質情報は、ジュート、ラミー、ウール、兎毛、蚕糸、クモ糸、ポリエステル、ナイロン、アクリル等を含む。そのため、材質の種別に基づいて、各材質を麻類材質（ジュート、ラミー）、毛類材質（ウール、兎毛）、糸類材質（蚕糸、クモ糸）、化繊類材質（ポリエステル、ナイロン、アクリル）に分類することができる。この場合には、例えば、００が麻類材質、０１が毛類材質、１０が糸類材質、１１が化繊類材質を表すというように、織物の材質情報に２ビットを割り当てればよい（これらの例示は説明及び解釈のためのものにすぎず、本発明の技術方案を限定するものではない）。
【００１５】
好ましくは、前記Ｎ種類のデータ情報は、織物の材質情報、織物の色情報、織物の種別情報を含む。このうち、織物の種別情報が占有するビット数＞織物の色情報が占有するビット数＞織物の材質情報が占有するビット数とする。
【００１６】
上記の方案において、前記Ｎ種類のデータ情報が、織物の材質情報、織物の色情報、織物の種別情報を含むように設計したのは、発明者が大量の実験から導き出した織物にとって最も重要な３種類のデータ情報だからであり、これらによって一般的なニーズはほぼ満たされる。これら３種類のデータは、織物にとって非常に重要なデータ種別である。例えば、織物の材質情報は、消費者が織物を選ぶ際の重要な根拠となり、洗剤を選んで織物を洗浄する際に参照する重要な根拠ともなる。例えば、織物の材質情報は、洗浄プログラムのスマートマッチング機能を実現可能とするほか、織物を選択したいとのニーズを満たしたり、織物を回収・分類する際の根拠となり得たりする。また、織物の色は、消費者が織物を選ぶ際の重要な根拠となるほか、織物を混合洗浄する際に、各織物の混合洗浄可否について参照する重要な根拠ともなる。現代の自動化された工業において、前記データ情報は重要なパラメータ情報となる。また、種別情報は、洗剤を選ぶ際の重要な根拠になるだけでなく、洗浄強度の重要な根拠ともなり、織物を選ぶ際の根拠ともなるほか、将来或いは現在の自動化設計における重要なパラメータ情報ともなる。よって、織物の材質情報、織物の色情報、織物の種別情報は、織物のＮ種類のデータ情報のなかでも非常に重要な３種類のデータである。工業の自動化において最も必要とされる情報といってもよく、日常的な織物情報を把握したいとのニーズを満たすものでもある。ひいては、これら３種類のデータ情報を組み合わせることで、織物性能の客観的指標になるともいえる。
【００１７】
好ましくは、前記織物の材質情報は３〜６ビットを占有し、前記織物の色情報は４〜６ビットを占有し、前記織物の種別情報は５〜７ビットを占有する。より好ましくは、前記織物の材質情報は４ビットを占有し、前記織物の色情報は５ビットを占有し、前記織物の種別情報は６ビットを占有する。
【００１８】
上記の方案において、前記織物の材質情報が４ビットを占有し、前記織物の色情報が５ビットを占有し、前記織物の種別情報が６ビットを占有するよう設計したのは、発明者が大量の研究により導き出した最適な記憶方式だからである。上記の具体的な各記憶ビット数に設計することで、織物の種別情報をほぼ区分可能となり、一般的な分類ニーズを満たすことが可能となる。例えば、織物の材質情報を４ビットで記憶又は標識する場合には、１６種類の材質を区分可能となる。これら１６種類の材質とは、それぞれ、綿、麻、蚕糸、テンセル、シルク、絹織物、ウール、カシミヤ、ポリプロピレン、アクリル、スパンデックス、ビスコース、ナイロン、ポリエステル、化繊、ポリエステル繊維である。これらの分類は、日常において織物の材質を詳細に分類したいとのニーズを完全に満たすものであり、洗濯機において織物の洗浄プログラムや洗剤をマッチングする際の根拠となり得る。また、織物を適切に予測する際の根拠にもなる。
【００１９】
本発明は、更に、上記のデータ記憶方法によりデータを記憶するデータ担持体を提供する。前記データ担持体は、織物自体の特性情報を記憶するための第１記憶領域を含む。  前記第１記憶領域は、織物の材質情報を記憶するための織物材質情報記憶モジュールを少なくとも含む。
【００２０】
上記の方案において、織物の材質情報は織物にとって最も重要な情報であり、例えば、織物の分別・回収分野、織物の洗浄プログラムマッチング分野、織物の機能分析分野、織物のスマート価格設定分野といった織物についての各種自動制御分野に関係する。
【００２１】
好ましくは、前記第１記憶領域は、織物色情報記憶モジュール及び織物種別情報記憶モジュールを更に含む。前記織物色情報記憶モジュールは、対応する織物の色情報を記憶するために用いられ、前記織物種別情報記憶モジュールは、対応する織物の種別情報を記憶するために用いられる。好ましくは、前記第１記憶領域は、メーカー情報記憶モジュール及び織物規格情報記憶モジュールを更に含む。前記メーカー情報記憶モジュールは織物のメーカー情報を記憶するために用いられ、前記織物規格情報記憶モジュールは織物の規格情報を記憶するために用いられる。
【００２２】
上記の方案において、規格データは織物の仕分けの根拠となり、織物のスマート仕分けにおける重要な根拠になり得るとともに、織物を回収する際の重要な根拠ともなる。また、メーカー情報は、織物の偽造防止分野や織物の評価分野に利用可能である。
【００２３】
好ましくは、前記織物の材質情報、織物の色情報、織物の種別情報、織物の規格情報、織物のメーカー情報はいずれもコードであり、異なるコードは定義の異なる具体的情報を表す。
【００２４】
上記の方案において、コード形式で織物の材質情報、織物の色情報、織物の種別情報、織物の規格情報、織物のメーカー情報を表すことは、記憶空間の節約に都合がよい。本発明におけるデータ担持体の応用としては、対応する織物に固定して前記織物の情報を標識することが挙げられる。即ち、大量に用いられるデータ担持体であるため、できる限りコストダウンする必要がある。そこで、前記データ担持体の記憶空間を縮小して直接のコストダウンを可能とすることが、最も実用的なコストダウンの方案となる。
【００２５】
好ましくは、前記第１記憶領域の容量はＭバイトであり、メーカー情報記憶モジュールの記憶容量＞織物種別情報記憶モジュールの記憶容量＞織物色情報記憶モジュールの記憶容量≧織物規格情報記憶モジュールの記憶容量＞織物材質情報記憶モジュールの記憶容量とする。
【００２６】
上記の方案では、織物の各種情報ごとに種別量が異なるため、割り当てられる各記憶モジュールの記憶容量も異なる。また、割り当てられる各記憶モジュールの記憶容量が異なることは、データ担持体の記憶空間を節約することにもなる。よって、前記データ担持体の記憶領域を、メーカー情報記憶モジュールの記憶容量＞織物種別情報記憶モジュールの記憶容量＞織物色情報記憶モジュールの記憶容量≧織物規格情報記憶モジュールの記憶容量＞織物材質情報記憶モジュールの記憶容量となるよう構成することは、より多くの織物情報を記憶するために都合がよい。
【００２７】
好ましくは、前記Ｍは４であり、前記織物のメーカー情報が１２ビットを占有し、織物の規格情報が５ビットを占有し、織物の種別情報が６ビットを占有し、前記織物の色情報が５ビットを占有し、前記織物の材質情報が４ビットを占有する。
【００２８】
好ましくは、前記データ担持体は更に第２記憶領域を含む。前記第２記憶領域は、織物メーカーがメーカーの内部情報を記憶するために用いられる。
【００２９】
上記の方案において、前記データ担持体に第２記憶領域を設けることで、メーカーは織物のＩＤを標識しやすくなる。また、第２記憶領域を設けることで、前記データ担持体に対するメーカーの依存度が増すため、メーカー側における前記データ担持体の普及及び応用に有利となる。前記設計はより合理的であり、メーカー自身のニーズと外界のニーズを合致させられるため、データ担持体の普及に都合がよい。
【発明の効果】
【００３０】
上記の技術方案を用いることで、本発明は従来技術と比較して以下の有益な効果を有する。
【００３１】
本発明では、織物情報を情報カテゴリに基づき分類するとともに、具体的に定義された情報を各種データ情報がコード形式で表すことで、織物情報による記憶空間の占有を節約する。更に、本発明は、上記のデータ記憶方法によりデータを記憶するデータ担持体を提供する。前記データ担持体は、小さな空間に大量の織物情報を記憶可能である。前記データ担持体は、対応する識別器で識別することでデータ担持体内に記憶されているコードを取得可能であり、前記コードから、前記識別器は更に具体的な織物情報を取得可能である。
【００３２】
以下に、図面を組み合わせて本発明の具体的実施形態につき更に詳細に述べる。
【００３３】
図面は本発明の一部として、本発明の更なる理解のために提供される。本発明の概略的実施例及びその説明は本発明の解釈のために用いられるが、本発明を不当に限定するものではない。なお、言うまでもなく、以下で記載する図面は実施例の一部にすぎず、当業者であれば、創造的労働を要することなくこれらの図面から更にその他の図面を得ることも可能である。
【図面の簡単な説明】
【００３４】
【図１】図１は、本発明におけるデータ担持体の記憶構造を示す図である。
【図２】図２は、本発明における織物情報のコードを電子タグに記憶する方法の記憶ステップである。
【図３】図３は、本発明の電子タグにおける織物情報のコードの記憶構造である。
【発明を実施するための形態】
【００３５】
これらの図面及び文字記載は何らかの方式で本発明の構想の範囲を制限するとの意図ではなく、特定の実施例を参照して当業者に本発明の概念を説明するためのものである。
【００３６】
本発明における実施例の目的、技術方案及び利点をより明確とすべく、以下では本発明の実施例にかかる図面を組み合わせて実施例の技術方案につき明瞭簡潔に述べる。なお、以下の実施例は本発明を説明するためのものであって、本発明の範囲を制限するものではない。
【００３７】
本発明の記載において、「上」、「下」、「内」、「外」等の用語で示される方向又は位置関係は、図示に基づく方向又は位置関係であり、本発明の記載の便宜上及び記載の簡略化のためのものにすぎず、対象となる装置又は部材が特定の方向を有し、且つ特定の方向で構成及び操作されねばならないことを明示又は暗示するものではない。よって、本発明を制限するものと理解すべきではない。
【００３８】
本発明の記載において、別途明確に規定及び限定しない限り、「装着する」、「接続する」との用語は広義に解釈すべきである。例えば、固定接続であってもよいし、取り外し可能な接続であってもよいし、一体接続であってもよい。また、機械的な接続であってもよいし、電気的な接続であってもよい。更には、直接的な連なりであってもよいし、中間媒体を介した間接的な連なりであってもよい。当業者であれば、具体的状況に応じて本発明における上記用語の具体的意味を解釈可能である。
【実施例１】
【００３９】
本実施例は、織物情報を標識するためのデータ記憶方法を提供する。前記方法では、織物情報を情報カテゴリに基づきＮ種類のデータ情報に分類し、前記Ｎ種類のデータ情報をコード形式でデータ担持体にそれぞれ記憶する。同一種類のデータ情報における異なるコードは、定義の異なる具体的織物情報を表している。
【００４０】
上記の方案において、織物情報をＮ種類に分類し、それぞれをコード形式でデータ担持体に記憶することは、織物情報の記憶方式をルール化するのに都合がよいため、任意の織物を記憶及び定義可能となる。前記方法は簡単且つ実用的であり、普及に値する。一方、各データ情報をコード形式で記憶すれば、織物情報の記憶容量が節約される。よって、従来の記憶方式と比較して、本方案によれば小さな記憶空間に多くの織物情報が記憶される。
【００４１】
好ましくは、Ｎ種類のデータ情報における各種データ情報ごとの種別数に基づき、各種データ情報に適切なビット数を割り当てて相応の情報を記憶する。
【００４２】
上記の方案では、Ｎ種類のデータ情報における各種データ情報ごとの種別数に基づき、各種データ情報に適切なビット数を割り当てて相応の情報を記憶する。前記設計は合理的であり、記憶空間の更なる節約となる。例えば、衣服は材質情報とメーカー情報を含む。現在のところ、衣服の材質に関する種別データ数はメーカーに遠く及ばないため、記憶空間を割り当てる際に、メーカー情報に割り当てる記憶空間を材質情報の記憶空間よりも大きくすることがいっそう合理的である。なお、言うまでもなく、各種データ情報に割り当てる記憶空間を現時点の前記データ情報自身の総種別数よりも大きくし、余剰空間を保持してもよい。これにより、将来的な前記分野の情報増加に備えることもできる。例えば、現時点で材質となり得る種別数がＭ個の場合、材質データに割り当てる記憶空間に記憶可能なコードにはＭ種類よりも多くの異なる変化が生じ得る。そのため、前記記憶空間は、現時点における全ての織物の材質情報を完全に提示可能なだけでなく、将来的により多くの新たな織物材質を有する可能性がある。よって、前記記憶空間には余裕を持たせておけばよい。
【００４３】
一方で、本方案は、割り当てる各種データ情報の記憶空間を現時点における前記各種データ情報ごとの種別数よりも大きくせねばならないとは限らず、各種データを何らかのルールに基づいて更に複数の小分類に分類してもよい。この場合、各種データ情報に割り当てられる記憶空間の記憶量は、それぞれの複数の小分類を区分できさえすればよい。例えば、織物の材質情報は、ジュート、ラミー、ウール、兎毛、蚕糸、クモ糸、ポリエステル、ナイロン、アクリル等を含む。そのため、材質の種別に基づいて、各材質を麻類材質（ジュート、ラミー）、毛類材質（ウール、兎毛）、糸類材質（蚕糸、クモ糸）、化繊類材質（ポリエステル、ナイロン、アクリル）に分類することができる。この場合には、例えば、００が麻類材質、０１が毛類材質、１０が糸類材質、１１が化繊類材質を表すというように、織物の材質情報に２ビットを割り当てればよい（これらの例示は説明及び解釈のためのものにすぎず、本発明の技術方案を限定するものではない）。
【００４４】
好ましくは、前記Ｎ種類のデータ情報は、織物の材質情報、織物の色情報、織物の種別情報を含む。このうち、織物の種別情報が占有するビット数＞織物の色情報が占有するビット数＞織物の材質情報が占有するビット数とする。
【００４５】
上記の方案において、前記Ｎ種類のデータ情報が、織物の材質情報、織物の色情報、織物の種別情報を含むように設計したのは、発明者が大量の実験から導き出した織物にとって最も重要な３種類のデータ情報だからであり、これらによって一般的なニーズはほぼ満たされる。これら３種類のデータは、織物にとって非常に重要なデータ種別である。例えば、織物の材質情報は、消費者が織物を選ぶ際の重要な根拠となり、洗剤を選んで織物を洗浄する際に参照する重要な根拠ともなる。例えば、織物の材質情報は、洗浄プログラムのスマートマッチング機能を実現可能とするほか、織物を選択したいとのニーズを満たしたり、織物を回収・分類する際の根拠となり得たりする。また、織物の色は、消費者が織物を選ぶ際の重要な根拠となるほか、織物を混合洗浄する際に、各織物の混合洗浄可否について参照する重要な根拠ともなる。現代の自動化された工業において、前記データ情報は重要なパラメータ情報となる。また、種別情報は、洗剤を選ぶ際の重要な根拠になるだけでなく、洗浄強度の重要な根拠ともなり、織物を選ぶ際の根拠ともなるほか、将来或いは現在の自動化設計における重要なパラメータ情報ともなる。よって、織物の材質情報、織物の色情報、織物の種別情報は、織物のＮ種類のデータ情報のなかでも非常に重要な３種類のデータである。工業の自動化において最も必要とされる情報といってもよく、日常的な織物情報を把握したいとのニーズを満たすものでもある。ひいては、これら３種類のデータ情報を組み合わせることで、織物性能の客観的指標になるともいえる。
【００４６】
好ましくは、前記織物の材質情報は３〜６ビットを占有し、前記織物の色情報は４〜６ビットを占有し、前記織物の種別情報は５〜７ビットを占有する。より好ましくは、前記織物の材質情報は４ビットを占有し、前記織物の色情報は５ビットを占有し、前記織物の種別情報は６ビットを占有する。
【００４７】
上記の方案において、前記織物の材質情報が４ビットを占有し、前記織物の色情報が５ビットを占有し、前記織物の種別情報が６ビットを占有するよう設計したのは、発明者が大量の研究により導き出した最適な記憶方式だからである。上記の具体的な各記憶ビット数に設計することで、織物の種別情報をほぼ区分可能となり、一般的な分類ニーズを満たすことが可能となる。例えば、織物の材質情報を４ビットで記憶又は標識する場合には、１６種類の材質を区分可能となる。これら１６種類の材質とは、それぞれ、綿、麻、蚕糸、テンセル、シルク、絹織物、ウール、カシミヤ、ポリプロピレン、アクリル、スパンデックス、ビスコース、ナイロン、ポリエステル、化繊、ポリエステル繊維である。これらの分類は、日常において織物の材質を詳細に分類したいとのニーズを完全に満たすものであり、洗濯機において織物の洗浄プログラムや洗剤をマッチングする際の根拠となり得る。また、織物を適切に予測する際の根拠にもなる。
【実施例２】
【００４８】
本実施例は、実施例１のデータ記憶方法によりデータを記憶するデータ担持体を提供する。前記データ担持体は、織物自体の特性情報を記憶するための第１記憶領域を含む。前記第１記憶領域は、織物の材質情報を記憶するための織物材質情報記憶モジュールを少なくとも含む。
【００４９】
上記の方案において、織物の材質情報は織物にとって最も重要な情報であり、例えば、織物の分別・回収分野、織物の洗浄プログラムマッチング分野、織物の機能分析分野、織物のスマート価格設定分野といった織物についての各種自動制御分野に関係する。
【００５０】
好ましくは、前記第１記憶領域は、織物色情報記憶モジュール及び織物種別情報記憶モジュールを更に含む。前記織物色情報記憶モジュールは、対応する織物の色情報を記憶するために用いられ、前記織物種別情報記憶モジュールは、対応する織物の種別情報を記憶するために用いられる。好ましくは、前記第１記憶領域は、メーカー情報記憶モジュール及び織物規格情報記憶モジュールを更に含む。前記メーカー情報記憶モジュールは織物のメーカー情報を記憶するために用いられ、前記織物規格情報記憶モジュールは織物の規格情報を記憶するために用いられる。
【００５１】
上記の方案において、規格データは織物の仕分けの根拠となり、織物のスマート仕分けにおける重要な根拠になり得るとともに、織物を回収する際の重要な根拠ともなる。また、メーカー情報は、織物の偽造防止分野や織物の評価分野に利用可能である。
【００５２】
好ましくは、前記織物の材質情報、織物の色情報、織物の種別情報、織物の規格情報、織物のメーカー情報はいずれもコードであり、異なるコードは定義の異なる具体的情報を表す。
【００５３】
上記の方案において、コード形式で織物の材質情報、織物の色情報、織物の種別情報、織物の規格情報、織物のメーカー情報を表すことは、記憶空間の節約に都合がよい。本発明におけるデータ担持体の応用としては、対応する織物に固定して前記織物の情報を標識することが挙げられる。即ち、大量に用いられるデータ担持体であるため、できる限りコストダウンする必要がある。そこで、前記データ担持体の記憶空間を縮小して直接のコストダウンを可能とすることが、最も実用的なコストダウンの方案となる。
【００５４】
好ましくは、前記第１記憶領域の容量をＭバイトとし、メーカー情報記憶モジュールの記憶容量＞織物種別情報記憶モジュールの記憶容量＞織物色情報記憶モジュールの記憶容量≧織物規格情報記憶モジュールの記憶容量＞織物材質情報記憶モジュールの記憶容量とする。
【００５５】
上記の方案では、織物の各種情報ごとに種別量が異なるため、割り当てられる各記憶モジュールの記憶容量も異なる。また、割り当てられる各記憶モジュールの記憶容量が異なることは、データ担持体の記憶空間を節約することにもなる。よって、前記データ担持体の記憶領域を、メーカー情報記憶モジュールの記憶容量＞織物種別情報記憶モジュールの記憶容量＞織物色情報記憶モジュールの記憶容量≧織物規格情報記憶モジュールの記憶容量＞織物材質情報記憶モジュールの記憶容量となるよう構成することは、より多くの織物情報を記憶するために都合がよい。
【００５６】
好ましくは、前記Ｍは４とし、前記織物のメーカー情報が１２ビットを占有し、織物の規格情報が５ビットを占有し、織物の種別情報が６ビットを占有し、前記織物の色情報が５ビットを占有し、前記織物の材質情報が４ビットを占有する。
【００５７】
好ましくは、前記データ担持体は更に第２記憶領域を含む。前記第２記憶領域は、織物メーカーがメーカーの内部情報を記憶するために用いられる。
【００５８】
上記の方案において、前記データ担持体に第２記憶領域を設けることで、メーカーは織物のＩＤを標識しやすくなる。また、第２記憶領域を設けることで、前記データ担持体に対するメーカーの依存度が増すため、メーカー側における前記データ担持体の普及及び応用に有利となる。前記設計はより合理的であり、メーカー自身のニーズと外界のニーズを合致させられるため、データ担持体の普及に都合がよい。
【００５９】
具体的には、図１を参照して、前記データ担持体は第１記憶領域と第２記憶領域を含む。第１記憶領域は３２ビットを有し、右から左に向かって上位から下位となる。第１記憶領域は５つの記憶モジュールを含み、上位から下位に向かって、それぞれ、織物材質情報記憶モジュール１、織物色情報記憶モジュール２、織物種別情報記憶モジュール３、織物規格情報記憶モジュール４、メーカー情報記憶モジュール５となっている。織物材質情報記憶モジュール１は４ビットを占有し、織物色情報記憶モジュール２は５ビットを占有し、織物種別情報記憶モジュール３は６ビットを占有し、織物規格情報記憶モジュール４は５ビットを占有し、メーカー情報記憶モジュール５は１２ビットを占有する。
【実施例３】
【００６０】
実施例３は、実施例２を元に、データ担持体に織物情報を記憶する方法を更に提供する。前記データ担持体は電子タグである。図２〜図３に示すように、前記電子タグは、タグ対象を識別するための電子製品コードを記憶するＥＰＣメモリと、ユーザのカスタムデータを記憶するＵＳＥＲメモリを少なくとも含み、標識する織物情報の符号化に用いられる。上記の記憶方法では、電子タグのＥＰＣメモリにおける余剰記憶空間を検出する。前記記憶空間に織物情報のコードを十分に記憶可能な場合には、前記織物情報のコードをＥＰＣメモリに記憶するが、十分に記憶できない場合には、前記織物情報のコードをＵＳＥＲメモリに記憶する。また、電子タグが織物の各種情報における重要情報を完全且つ効果的に記憶可能となり、洗濯機のスマート洗浄ニーズを満たすよう、記憶過程では、織物の情報カテゴリ別に異なる書き込み優先度を適用する。
【００６１】
図２〜図３に示すように、本実施例において、織物情報のコードで標識する織物情報には、織物自体の特性情報である織物属性情報が含まれる。本実施例の織物属性には、織物の材質情報、織物の色情報、織物の種別情報、織物の規格情報、織物のメーカー情報等が含まれる。
【００６２】
本実施例はＲＦＩＤ電子タグ記憶技術に準拠しており、記憶方法及び電子タグはＥＰＣのＣｌａｓｓ１ Ｇｅｎ２プロトコルに適合している。前記プロトコルに基づき、電子タグの内部メモリは、予約（ＲＥＳＥＲＶＥＤ）メモリ、ＥＰＣメモリ、タグ識別番号（ＴＩＤ）メモリ、ユーザ（ＵＳＥＲ）メモリという４つの独立したメモリにそれぞれ分けられる。予約メモリは、電子タグのキル（Ｋｉｌｌ）及びアクセスパスワードを管理するために用いられる。また、ＴＩＤメモリは電子タグの保存に用いられ、一般的には電子タグチップメーカーから提供される情報を記憶する。ＥＰＣメモリは、一般的にＩＤ情報である製品の電子コードを保存する。また、ＵＳＥＲメモリは業務データを保存するものであり、応用場面に応じてユーザが自主的に定義する必要がある。
【００６３】
織物情報のコード記憶の完全性を保証すべく、図２に示すように、本発明の記憶方法は以下のステップを含む。
【００６４】
Ｓ１：予め記憶する織物情報のコードによる占有空間を検出する。
【００６５】
Ｓ２：電子タグのＥＰＣメモリにおける余剰記憶空間を検出する。
【００６６】
Ｓ３：前記織物情報のコードによる占有空間がＥＰＣメモリの余剰記憶空間よりも小さいか否かを比較する。そして、織物情報のコードによる占有空間がＥＰＣメモリの余剰記憶空間よりも小さい場合にはステップＳ４に進み、小さくない場合にはステップＳ５に進む。
【００６７】
Ｓ４：前記織物情報のコードをＥＰＣメモリに記憶する。
【００６８】
Ｓ５：前記織物情報のコードをＵＳＥＲメモリに記憶する。
【００６９】
前記方法では、織物情報のコードを記憶する前に、前記予め記憶する織物情報のコードの符号化長を走査装置により走査するとともに、前記織物情報のコードに必要な記憶空間を算出する。また、メモリ空間を走査することでフィードバックされた余剰空間情報から、前記織物情報のコードの記憶位置を決定する。通常であれば、前記織物情報のコードをＥＰＣメモリに優先的に記憶するが、上記の操作ステップによって、織物情報のコードに必要な記憶空間がＥＰＣメモリの余剰空間よりも大きいことが分かった場合には、前記織物情報のコード全体をＵＳＥＲ領域に記憶する。
【００７０】
相応の記憶領域に書き込む際には、織物情報のコードが示す各織物属性情報が、メモリへの書き込み過程において異なる書き込み優先度を有する。本実施例における織物属性の場合、メモリに書き込む際の優先度は、織物の材質情報＞織物の色情報＞織物の種別情報＞織物の規格情報＞織物のメーカー情報の順となる。
【００７１】
このような優先度を実現するために、図３に示すように、前記方法の電子タグに対応する織物属性の記憶領域は、織物情報のコードの符号化分布と一致している。まず、織物の洗浄に最も影響の大きな織物の材質情報を電子タグに記憶してから、織物の色情報等を順に記憶する。これにより、想定外の状況によって記憶に異常が生じ、書き込みができなかったり、メモリがオーバーフローしたりとの状況が発生した場合でも、最初に書き込まれる高優先度の重要データについては良好に記憶されるため、織物の洗浄効果が最大限保証される。
【００７２】
本発明において、織物情報のコードの符号化長は４〜４５ビットであり、各前記織物属性情報を記憶する際には、上位から下位へと順に前記メモリに書き込んでいく。具体的に、本実施例における織物情報のコードの符号化長は３２ビットである。前記電子タグは、織物の情報カテゴリに基づいて異なる記憶領域に区分される。各種情報が前記異なる記憶領域において占有する記憶空間の大きさは全く同じではない。
【００７３】
本実施例において、各織物属性情報が占有する記憶空間は、織物のメーカー情報＞織物の種別情報＞織物の色情報≧織物の規格情報＞織物の材質情報、との関係になるよう区分される。
【００７４】
本実施例では、図３における電子タグの記憶構造ルールに基づいて、具体的な符号化空間が、織物のメーカー情報が１２ビットを占有し、織物の規格情報が５ビットを占有し、織物の種別情報が６ビットを占有し、前記織物の色情報が５ビットを占有し、前記織物の材質情報が４ビットを占有する、というように分布している。
【００７５】
また、注意すべき点として、図３に示すように、電子タグに記憶される織物情報のコードには、通常、織物メーカーが定義した織物メーカーの内部コードが更に含まれる。そのため、メモリには織物情報のコードを記憶するだけでなく、前記織物メーカーの内部コードを記憶する必要もある。前記コードは衣類の洗浄にとって実質的な意味は持たないため、各コードの記憶過程において、織物メーカーの内部コードの優先度は織物情報のコードよりも低い。
【００７６】
実施例において電子タグに記憶されるコードには、織物メーカーが定義する織物メーカーの内部コードと、洗濯機メーカーが定義する織物情報のコードが含まれるが、これらのコードについては、電子タグへの書き込み後に修正不可能とする。
【００７７】
注意すべき点として、本実施例で述べた織物属性は、織物情報の情報カテゴリを表す。
【００７８】
以上は本発明の好ましい実施例にすぎず、本発明を何らかの形式に限定するものではない。本発明については好ましい実施例によって上記のように開示したが、本発明を限定するとの主旨ではない。本発明の技術方案を逸脱しない範囲において、当業者が上記で提示した技術内容を用いて行うわずかな変形或いは補足は、同等に変形された等価の実施例とみなされ、いずれも本発明の技術方案の内容を逸脱するものではない。また、本発明の技術的本質に基づいて上記の実施例に加えられる簡単な修正、同等の変形及び補足は、いずれも本発明の方案の範囲内とされる。
【符号の説明】
【００７９】
１  織物材質情報記憶モジュール
２  織物色情報記憶モジュール
３  織物種別情報記憶モジュール
４  織物規格情報記憶モジュール
５  メーカー情報記憶モジュール
【図１】
2020522070.tif 000003
【図２】
2020522070.tif 000004
【図３】
2020522070.tif 000005
【国際調査報告】
2020522070.tif 000006
2020522070.tif 000007
2020522070.tif 000008
2020522070.tif 000009